(57)【要約】  本発明の目的は、下方に狭まる歯根部を有する模型歯を支持でき且つ歯根部を適切に挿脱できる歯科模型用部品及びその部品を備えるキット及び歯科模型を提供することである。  模型歯と、この模型歯を支持する支持部材と、を備える歯科模型において、模型歯２０の少なくとも一つである前歯２１は、歯冠部２１１と、頬舌断面において歯頚部２１３から下方に狭まる歯根部２１５と、を有し、支持部材４０は、頬舌断面において、頬側又は舌側の一方の面４１７が歯頚部２１３ｂから歯根部２１５ｂの少なくとも一部に沿い、他方の面４１６が歯頚部２１３ａから離間する挿入穴部４１１を有する支持台４１と、歯頚部２１３ａと挿入穴部４１１との隙間を埋める介在部材４３と、を有し、歯根部２１５ａ及び介在部材４３には凹凸が設けられ、この凹凸が係合することで歯根部２１５ａが介在部材４３に係止される。
2012002488.tif 000002
【特許請求の範囲】
【請求項１】
模型歯と、この模型歯を支持する支持部材と、を備える歯科模型であって、
前記模型歯の少なくとも一つは、歯冠部と、頬舌断面において歯頚部から下方に狭まる歯根部と、を有し、
前記支持部材は、前記歯根部が挿入可能な大きさの挿入穴部を有する支持台と、前記歯頚部と前記挿入穴部との隙間を埋める介在部材と、を有し、
前記歯根部及び前記介在部材には凹凸が設けられ、この凹凸が係合することで前記歯根部が前記介在部材に係止される歯科模型。
【請求項２】
前記挿入穴部は、頬舌断面において、頬側又は舌側の一方の面が前記歯頚部から前記歯根部の少なくとも一部に沿い、他方の面が前記歯頚部から離間する形状を有する請求項１記載の歯科模型。
【請求項３】
前記介在部材は、分割可能で各々が前記隙間を埋める２以上の分割部材からなる請求項１記載の歯科模型。
【請求項４】
前記凹凸は、この凹凸が設けられた位置における前記歯根部の幅（ただし、前記凹凸の高さ、及び前記歯根部内の空洞の幅は除く）に対し１０％以下の高さである請求項１から３いずれか記載の歯科模型。
【請求項５】
前記凹凸は、前記歯頚部から、前記歯根部の最大長の５０％以下離れた箇所に設けられている請求項１から４いずれか記載の歯科模型。
【請求項６】
前記支持部材は、前記介在部材と前記支持台とを固定する固定部材を更に有する請求項１から５いずれか記載の歯科模型。
【請求項７】
前記介在部材は、弾性素材で構成され、前記歯頚部及び前記挿入穴部により弾性収縮された状態で前記隙間を埋める請求項１から６いずれか記載の歯科模型。
【請求項８】
歯科模型に用いられるキットであって、
歯冠部と、頬舌断面において歯頚部から下方に狭まる歯根部と、を有する少なくとも一つの模型歯と、
前記歯頚部の一部又は全部に当接する介在部材と、を備え、
前記歯根部及び前記介在部材には凹凸が設けられ、この凹凸が係合することで前記歯根部が前記介在部材に係止されるキット。
【請求項９】
前記介在部材は、頬舌断面において、前記歯頚部のうち、頬側又は舌側の一方側を包囲し且つ他方側を露出させる請求項８記載のキット。
【請求項１０】
前記介在部材は、分割可能で各々が前記隙間を埋める２以上の分割部材からなる請求項８記載のキット。
【請求項１１】
前記凹凸は、この凹凸が設けられた位置における前記歯根部の幅（ただし、前記凹凸の高さ、及び前記歯根部内の空洞の幅は除く）に対し１０％以下の高さである請求項８から１０いずれか記載のキット。
【請求項１２】
前記凹凸は、前記歯頚部から、前記歯根部の最大長の５０％以下離れた箇所に設けられている請求項８から１１いずれか記載のキット。
【発明の詳細な説明】
【技術分野】
【０００１】
本発明は、歯科模型及びその部品に関する。
【背景技術】
【０００２】
従来、主に歯科治療のための実習訓練に、歯牙の形状を模して造形された模型歯と、これら模型歯を支持する支持部材とを備える歯科模型が使用されている（特許文献１参照）。模型歯は、歯頚部から下方に広がる歯根部を有するもの（典型的には臼歯）と、歯頚部から下方に広がる歯根部を有するもの（典型的には前歯）とに分類され、また様々な形状を有する。
【先行技術文献】
【特許文献】
【０００３】
【特許文献１】米国２００８／０２５４４２２号公報
【発明の概要】
【発明が解決しようとする課題】
【０００４】
しかし、歯頚部から下方に狭まる歯根部を有する模型歯の場合、歯根部が支持部材から容易に離脱してしまい、実習訓練の質を低下させ得る。ここで、離脱を防止するために、歯根部と支持部材とを係合することが考えられるが、この場合には、歯根部の交換等の必要なときに、歯根部を支持部材から離脱することが困難である。【０００５】
本発明は、以上の実情に鑑みてなされたものであり、下方に狭まる歯根部を有する模型は支持でき且つ歯根部を適切に挿脱できる歯科模型用部品及びその部品を備えるキット及び歯科模型を提供することを目的とする。
【課題を解決するための手段】
【０００６】
本発明者らは、支持台とは別の介在部材を用い、この介在部材と歯根部とに凹凸を設けることで、凹凸が係合して歯根部が介在部材に係止されつつ、必要なときには挿入穴部から離脱できることを見出し、本発明を完成するに至った。具体的に、本発明は以下のものを提供する。【０００７】
（１）  模型歯と、この模型歯を支持する支持部材と、を備える歯科模型であって、
前記模型歯の少なくとも一つは、歯冠部と、頬舌断面において歯頚部から下方に狭まる歯根部と、を有し、
前記支持部材は、前記歯根部が挿入可能な大きさの挿入穴部を有する支持台と、前記歯頚部と前記挿入穴部との隙間を埋める介在部材と、を有し、
前記歯根部及び前記介在部材には凹凸が設けられ、この凹凸が係合することで前記歯根部が前記介在部材に係止される歯科模型。【０００８】
（２）  前記挿入穴部は、頬舌断面において、頬側又は舌側の一方の面が前記歯頚部から前記歯根部の少なくとも一部に沿い、他方の面が前記歯頚部から離間する形状を有する（１）記載の歯科模型。【０００９】
（３）  前記介在部材は、分割可能で各々が前記隙間を埋める２以上の分割部材からなる（１）記載の歯科模型。【００１０】
（４）  前記凹凸は、この凹凸が設けられた位置における前記歯根部の幅（ただし、前記凹凸の高さ、及び前記歯根部内の空洞の幅は除く）に対し１０％以下の高さである（１）から（３）いずれか記載の歯科模型。【００１１】
（５）  前記凹凸は、前記歯頚部から、前記歯根部の最大長の５０％以下離れた箇所に設けられている（１）から（４）いずれか記載の歯科模型。【００１２】
（６）  前記支持部材は、前記介在部材と前記支持台とを固定する固定部材を更に有する（１）から（５）いずれか記載の歯科模型。【００１３】
（７）  前記介在部材は、弾性素材で構成され、前記歯頚部及び前記挿入穴部により弾性収縮された状態で前記隙間を埋める（１）から（６）いずれか記載の歯科模型。【００１４】
（８）  歯科模型に用いられるキットであって、
歯冠部と、頬舌断面において歯頚部から下方に狭まる歯根部と、を有する少なくとも一つの模型歯と、
前記歯頚部の一部又は全部に当接する介在部材と、を備え、
前記歯根部及び前記介在部材には凹凸が設けられ、この凹凸が係合することで前記歯根部が前記介在部材に係止されるキット。【００１５】
（９）  前記介在部材は、頬舌断面において、前記歯頚部のうち、頬側又は舌側の一方側を包囲し且つ他方側を露出させる（８）記載のキット。【００１６】
（１０）  前記介在部材は、分割可能で各々が前記隙間を埋める２以上の分割部材からなる（８）記載のキット。【００１７】
（１１）  前記凹凸は、この凹凸が設けられた位置における前記歯根部の幅（ただし、前記凹凸の高さ、及び前記歯根部内の空洞の幅は除く）に対し１０％以下の高さである（８）から（１０）いずれか記載のキット。【００１８】
（１２）  前記凹凸は、前記歯頚部から、前記歯根部の最大長の５０％以下離れた箇所に設けられている（８）から（１１）いずれか記載のキット。
【発明の効果】
【００１９】
本発明によれば、支持台とは別の介在部材を用い、この介在部材と歯根部とに凹凸を設けることで、使用時には凹凸が係合して歯根部が介在部材に係止されつつ、必要なときには介在部材を支持台から離脱することで、歯根部が挿入穴部から離脱される。よって、歯根部を適切に挿脱することができる。
【図面の簡単な説明】
【００２０】
【図１】本発明の第１実施形態に係る歯科模型の全体斜視図である。
【図２】図１のＩＩ−ＩＩ線断面図である。
【図３】図２の歯科模型の使用方法を示す図である。
【図４】図２における模型歯の形状を示す図である。
【図５】本発明の一実施形態に係る歯科模型の断面図である。
【図６】図５における模型歯の形状を示す図である。
【図７】本発明の第１実施形態に係る歯科模型の断面図である。
【発明を実施するための形態】
【００２１】
以下、本発明の一実施形態について図面を参照しながら説明するが、この実施形態に本発明が限定されるものではない。
【００２２】
図１は、本発明の第１実施形態に係る歯科模型１０の全体斜視図であり、図２は図１のＩＩ−ＩＩ線断面図である。歯科模型１０は、実際の歯牙の形状に近似した形状を有する模型歯２０と、この模型歯２０を支持する支持部材４０とを備え、本実施形態における支持部材４０はトレイ３０に保持されている。
【００２３】
模型歯２０は、本実施形態では、前歯２１及び臼歯２３から構成される。各々の模型歯２０は歯冠部及び歯根部からなり、その形状において前歯２１及び臼歯２３は典型的に異なる。即ち、前歯２１は、図２に示されるように、歯頚部２１３ａ，２１３ｂを境にして、歯冠部２１１と、下方に狭まる歯根部２１５ａ，２１５ｂとを有する一方、臼歯２３は、歯根部が歯頚部から下方に広がる構造を有する。本発明に係る歯科模型は、少なくとも前歯２１と同様の構造を有する模型歯と、その模型歯を支持する支持部材とを備えていればよい。なお、図１のＩＩ−ＩＩ線断面は、顎と舌とを結ぶ方向（頬舌方向）に関する線と、模型歯２０の歯軸に略平行な線とを含む面（頬舌断面）を指す。
【００２４】
前歯２１の内部には、実際の歯牙と同様の歯腔２１８が形成されている。図示はしないが、歯腔２１８には必要に応じて、神経に相当する細糸が配置されていてもよい。
【００２５】
図３は、図２の歯科模型の使用方法を示す図である。支持部材４０は、模型歯２０の歯根部が挿入される挿入穴部４１１を有する支持台４１を備える。ここで、挿入穴部４１１は、前歯２１の歯根部２１５が挿入可能な大きさを有するため、歯根部２１５が支持部材から容易に離脱し得る。しかし、支持部材４０は、歯頚部２１３ａと挿入穴部４１１との隙間を埋める介在部材４３を備え、この介在部材４３と歯根部２１５には凹凸が設けられ、この凹凸が係合することで歯根部が介在部材４３に係止される。これにより、歯根部２１５が支持部材から離脱するのが抑制され、実習訓練の質を向上することができる。また、必要なときには介在部材４３を支持台４１から離脱することで、歯根部２１５が挿入穴部４１１から離脱される。このように、歯根部２１５を適切に挿脱することができる。
【００２６】
本実施形態では、歯根部２１５に凸部２１６が設けられ、介在部材４３に凹部４３４が設けられているが、これに限られず、図５に示すように、歯根部２１５Ａに凹部２１７が設けられ、介在部材４３Ａに凸部４３８が設けられていてもよい。また、これらの実施形態では、凹部及び凸部がそれぞれ一つずつ設けられているが、これに限られず、複数ずつ設けられていてもよい。
【００２７】
図２に戻って、本実施形態の挿入穴部４１１は、頬舌断面において、舌側面４１７が歯頚部２１３ｂから歯根部２１５ｂの少なくとも一部に沿い、頬側面４１６が歯頚部２１３ａから離間する。このため、前歯２１の歯根部を挿入穴部４１１に挿入し、舌側の歯頚部２１３ｂから歯根部２１５ｂの少なくとも一部を舌側面４１７に当接させると、頬側の歯頚部２１３ａと頬側面４１６との間に隙間が生じる。
【００２８】
ここで、本実施形態の介在部材４３は、歯頚部２１３ａと挿入穴部４１１の頬側面４１６との隙間を埋める。これにより、歯頚部２１３ａと頬側面４１６との隙間が埋まるので、実習訓練の質を向上することができる。なお、これに限られず、挿入穴部４１１の頬側面が歯頚部から歯根部の少なくとも一部に沿い、舌側面が歯頚部から離間してもよい。本実施形態は、介在部材４３を頬舌断面における歯根部の両側に設ける必要がないので、介在部材４３が一体成形が可能であり、製造コストの削減、使用時の組み立て及び分解の煩雑さの回避の観点で好ましい。
【００２９】
ただし、本発明は、上記実施形態に限られるものではない。図７は、本発明の第２実施形態に係る歯科模型の断面図である。本実施形態における介在部材は、分割面４３６にて分割可能で各々が隙間を埋める２以上の分割部材４３ａ，４３ｂからなる。分割部材４３ａ，４３ｂの各々を独立して、歯頚部２１３ａ，２１３ｂの周囲に配置し、凹凸で係合させることができる。かかる態様では、第１実施形態のように挿入穴部を特徴的な形状にしなくてもよいため、従来の支持台４１を使用することもできる。なお、分割面４３６は、分割部材４３ａ，４３ｂの各々が歯頚部２１３ａ，２１３ｂと挿入穴部４１１との隙間を埋める（つまり、図７において左右に分割される）ように形成されなければならず、隙間を埋めない（例えば、図７において上下に分割される）ように形成されてはならない。
【００３０】
頬側面４１６及び側壁４３７は、特に限定されないが、鉛直方向から外方に傾斜していることが好ましい。これにより、挿入穴部４１１の開口径が広がるため、後述の図３に示すように、前歯２１及び介在部材４３を挿入穴部４１１に挿入する操作が容易になる。
【００３１】
本実施形態の介在部材４３は、歯頚部２１３ａと頬側面４１６との間を埋める架橋部４３１の他に、頬側面４１６に沿う形状の側壁４３７、及び挿入穴部４１１の底面４１８まで延びる延出部４３３を有する。側壁４３７が頬側面４１６に、延出部４３３が挿入穴部４１１の底面４１８に沿うことで、挿入穴部４１１内の前歯２１の姿勢が安定する。
【００３２】
介在部材４３は、歯頚部２１３ａから歯根部２１５ａの少なくとも一部に沿うことが好ましい。これにより、挿入穴部４１１内の歯根部２１５ａ，２１５ｂの姿勢がより安定化する。介在部材４３が沿う範囲は、特に限定されず、歯根部２１５ａ，２１５ｂの姿勢をより安定化させる観点で適宜設定されてよい。
【００３３】
なお、本発明において延出部や包囲穴部は必須ではなく、少なくとも架橋部４３１を備えていればよい。ただし、かかる態様では、後述の固定部材５０が歯根部２１５ａ，２１５ｂの側方に位置せざるを得ず、この場合、実習訓練における歯根部２１５ａ，２１５ｂへのＸ線照射試験等において固定部材５０が障害になり得る。
【００３４】
介在部材４３の素材は、特に限定されず、歯科模型における歯肉として使用される公知のものであってよい。ただし、介在部材４３は弾性素材で構成され、歯頚部２１３ａ及び挿入穴部４１１により弾性収縮された状態で、歯頚部２１３ａと頬側面４１６との隙間を埋めることが好ましい。これにより、挿入穴部４１１内の前歯２１の姿勢をより安定化することができる。なお、弾性素材は、弾性変形可能なものであれば特に限定されず、シリコンゴム等の従来公知のものであってよい。また、介在部材４３が弾性収縮された状態で隙間を埋めるためには、自然状態における介在部材４３の寸法を隙間より適宜大きくすればよい。
【００３５】
なお、歯頚部２１３ａ，２１３ｂの周囲の歯肉を構成する部分は、支持台４１の歯肉部４１３と、架橋部４３１とで構成されるため、触感等の臨場感を向上する観点では、架橋部４３１を歯肉部４１３と同様の素材で構成することも好ましい。
【００３６】
ところで、凹部及び凸部は、図２及び図５に示されるように、歯根部２１５が挿入穴部４１１内で所望の位置に設置されたときに、互いに接触しあう箇所に設けられることが好ましい。また、歯根部の姿勢をより安定にする観点で、凹部及び凸部は面接触することが好ましく、図２及び図５に示されるように、接触する面同士が互いに対称形状を有することがより好ましい。
【００３７】
凹凸の高さは、介在部材４３からの歯根部の離脱を抑制できるよう適宜設定されてよいが、過大であると、実習訓練における歯根部２１５ａ，２１５ｂへのＸ線照射試験等において、Ｘ線透過率が凹凸部分の影響を有意に受けやすい。そこで、本発明において、凹凸は、この凹凸が設けられた位置における歯根部の幅（ただし、凹凸の高さ、及び歯根部内の空洞の幅は除く）に対し１０％以下の高さであることが好ましい。これにより、実習訓練における歯根部２１５ａ，２１５ｂへのＸ線照射試験等において、凹凸が障害になることをできる。
【００３８】
図４を参照しながら説明すると、凸部の高さはＡＢ間の距離に、歯根部内の空洞の幅は歯腔２１８の幅であるＣＤ間の距離に該当する。また、図６の態様では、凹部の高さはＡＢ間の距離に該当する。従って、凹凸は、以下の式を満たせばよい。なお、Ａは凸部又は凹部のうち歯軸の中央から最も突出又は陥入した部分であり、ＡＥを結ぶ直線は歯軸に直交する線である。また、Ｂは、凸部又は凹部の上下箇所を結ぶ直線と、ＡＥを結ぶ直線との交点である。
ＡＢ間の距離≦×（ＡＥ間の距離−ＡＢ間の距離−ＣＤ間の距離）×０．１０
【００３９】
凹凸が設けられる箇所は、特に限定されないが、Ｘ線照射試験等における障害を回避しつつ、歯根部の離脱を十分に抑制できる高さを確保できる観点で、歯根部の幅が十分に大きい箇所、具体的には、歯頚部から、歯根部の最大長の５０％以下離れた箇所に設けられていることが好ましい。図４の態様では、ｈがＬの５０％以下であることが好ましい。より好ましくは４０％以下、３０％以下、２０％以下、１５％以下、１０％以下、５％以下である。なお、凹凸が設けられている箇所とは、凸部又は凹部のうち歯軸の中央から最も突出又は陥入した部分の箇所であり、歯頚部からの距離及び長さは、前歯の歯軸に平行な方向に関するものである。
【００４０】
なお、凹凸の形状は、本実施形態のように、断面三角形状に限られず、任意の形状であってよい。また、歯根部の周方向に関して凹凸が設けられる範囲は、頬舌断面における頬側又は舌側を含む限りにおいて特に限定されない。
【００４１】
図２に戻って、支持部材４０は、歯根部２１５ａ，２１５ｂが挿入穴部４１１から抜けるのをより確実に防止する観点で、介在部材４３と支持台４１とを固定する固定部材５０を更に有することが好ましい。
【００４２】
具体的に、固定部材５０は、延出部４３３に設けられた挿通穴４３５と、この挿通穴４３５に対応する位置において底面４１８に設けられて、底面４１８から外部へと貫通する貫通孔４１５とに挿入され、これにより、介在部材４３と支持台４１とを固定する。固定部材５０が歯根部２１５ａ，２１５ｂの下方に位置するため、実習訓練の障害になりにくい点で好ましい。なお、固定の方式は、容易に離脱可能である限りにおいて特に限定されず、ボルト−ナット固定等の従来周知のものであってよい。
【００４３】
以上の歯科模型１０の使用方法の一例について、図３を参照しながら説明する。まず、歯根部２１５ａの凸部２１６を介在部材４３の凹部４３４に係合して、前歯２１及び介在部材４３を組み合わせる（Ａ〜Ｂ）。次に、この組み合わせ体を、前歯２１が所望の位置に設置されるまで挿入穴部４１１へと挿入していき（Ｃ）、その後、固定部材５０を貫通孔４１５及び挿通穴４３５に設置し、支持台４１と介在部材４３とを固定することで、実習訓練用の歯科模型１０が組み立てられる。なお、本実施形態では、前歯２１及び介在部材４３を組み合わせた後に、挿入穴部４１１へと挿入しているが、これに限られず、模型歯を挿入穴部へと挿入した後に、介在部材を歯頚部と挿入穴部との隙間に挿入し、隙間を埋めてもよい。
【００４４】
本発明は、歯科模型に用いられるキットも提供する。かかるキットは、歯冠部２１１と、頬舌断面において歯頚部２１３ａ，２１３ｂから下方に狭まる歯根部２１５ａ，２１５ｂと、を有する少なくとも一つの模型歯である前歯２１と、歯頚部の一部又は全部に当接する介在部材４３と、を備え、歯根部２１５及び介在部材４３には凹凸が設けられ、この凹凸が係合することで歯根部２１５が介在部材４３に係止される。好ましい態様における介在部材４３は、頬舌断面において、歯頚部２１３ａ，２１３ｂのうち、頬側又は舌側の一方側（本実施形態では歯頚部２１３ａ）を包囲し且つ他方側（本実施形態では歯頚部２１３ｂ）を露出させる。ただし、介在部材は、分割面４３６で分割可能で各々が隙間を埋める２以上の分割部材４３ａ，４３ｂからなってもよい。キットにおいて、凹凸は、この凹凸が設けられた位置における歯根部の幅（ただし、凹凸の高さ、及び歯根部内の空洞の幅は除く）に対し１０％以下の高さであることが好ましい。また、凹凸は、歯頚部から、歯根部の最大長の５０％以下離れた箇所に設けられていることが好ましい。
【００４５】
本発明は前記実施形態に限定されるものではなく、本発明の目的を達成できる範囲での変形、改良等は本発明に含まれるものである。
【符号の説明】
【００４６】
１０  歯科模型
２０  模型歯
２１  前歯
２１１  歯冠部
２１３  歯頚部
２１５  歯根部
２１６  凸部
２１７  凹部
２１８  歯腔
２３  臼歯
３０  トレイ
４０  支持部材
４１  支持台
４１１  挿入穴部
４１３  歯肉部
４１５  貫通孔
４１６  頬側面
４１７  舌側面
４１８  底面
４３  介在部材
４３ａ，４３ｂ  分割部材
４３１  架橋部
４３３  延出部
４３４  凹部
４３５  挿通穴
４３６  分割面
４３７  側壁
４３８  凸部
５０  固定部材
【図１】
2012002488.tif 000003
【図２】
2012002488.tif 000004
【図３】
2012002488.tif 000005
【図４】
2012002488.tif 000006
【図５】
2012002488.tif 000007
【図６】
2012002488.tif 000008
【図７】
2012002488.tif 000009
【手続補正書】
【提出日】平成24年5月1日(2012.5.1)
【手続補正１】
【補正対象書類名】特許請求の範囲
【補正対象項目名】全文
【補正方法】変更
【補正の内容】
【特許請求の範囲】
【請求項１】
（削除）
【請求項２】
模型歯と、この模型歯を支持する支持部材と、を備える歯科模型であって、
前記模型歯の少なくとも一つは、歯冠部と、頬舌断面において歯頚部から下方に狭まる歯根部と、を有し、
前記支持部材は、前記歯根部が挿入可能な大きさの挿入穴部を有する支持台と、前記歯頚部と前記挿入穴部との隙間を埋める介在部材と、を有し、
前記歯根部及び前記介在部材には凹凸が設けられ、この凹凸が係合することで前記歯根部が前記介在部材に係止され、
前記挿入穴部は、頬舌断面において、頬側又は舌側の一方の面が前記歯頚部から前記歯根部の少なくとも一部に沿い、他方の面が前記歯頚部から離間する形状を有する歯科模型。
【請求項３】
模型歯と、この模型歯を支持する支持部材と、を備える歯科模型であって、
前記模型歯の少なくとも一つは、歯冠部と、頬舌断面において歯頚部から下方に狭まる歯根部と、を有し、
前記支持部材は、前記歯根部が挿入可能な大きさの挿入穴部を有する支持台と、前記歯頚部と前記挿入穴部との隙間を埋める介在部材と、を有し、
前記歯根部及び前記介在部材には凹凸が設けられ、この凹凸が係合することで前記歯根部が前記介在部材に係止され、
前記介在部材は、分割可能で各々が前記隙間を埋める２以上の分割部材からなる歯科模型。
【請求項４】
前記凹凸は、この凹凸が設けられた位置における前記歯根部の幅（ただし、前記凹凸の高さ、及び前記歯根部内の空洞の幅は除く）に対し１０％以下の高さである請求項２から３いずれか記載の歯科模型。
【請求項５】
前記凹凸は、前記歯頚部から、前記歯根部の最大長の５０％以下離れた箇所に設けられている請求項２から４いずれか記載の歯科模型。
【請求項６】
前記支持部材は、前記介在部材と前記支持台とを固定する固定部材を更に有する請求項２から５いずれか記載の歯科模型。
【請求項７】
前記介在部材は、弾性素材で構成され、前記歯頚部及び前記挿入穴部により弾性収縮された状態で前記隙間を埋める請求項２から６いずれか記載の歯科模型。
【請求項８】
（削除）
【請求項９】
歯科模型に用いられるキットであって、
歯冠部と、頬舌断面において歯頚部から下方に狭まる歯根部と、を有する少なくとも一つの模型歯と、
前記歯頚部の一部又は全部に当接する介在部材と、を備え、
前記歯根部及び前記介在部材には凹凸が設けられ、この凹凸が係合することで前記歯根部が前記介在部材に係止され、
前記介在部材は、頬舌断面において、前記歯頚部のうち、頬側又は舌側の一方側を包囲し且つ他方側を露出させる請求項８記載のキット。
【請求項１０】
歯科模型に用いられるキットであって、
歯冠部と、頬舌断面において歯頚部から下方に狭まる歯根部と、を有する少なくとも一つの模型歯と、
前記歯頚部の一部又は全部に当接する介在部材と、を備え、
前記歯根部及び前記介在部材には凹凸が設けられ、この凹凸が係合することで前記歯根部が前記介在部材に係止され、
前記介在部材は、分割可能で各々が前記隙間を埋める２以上の分割部材からなる請求項８記載のキット。
【請求項１１】
前記凹凸は、この凹凸が設けられた位置における前記歯根部の幅（ただし、前記凹凸の高さ、及び前記歯根部内の空洞の幅は除く）に対し１０％以下の高さである請求項９から１０いずれか記載のキット。
【請求項１２】
前記凹凸は、前記歯頚部から、前記歯根部の最大長の５０％以下離れた箇所に設けられている請求項９から１１いずれか記載のキット。
【国際調査報告】
2012002488.tif 000010
2012002488.tif 000011
2012002488.tif 000012